(57)【特許請求の範囲】
【請求項１】
原稿画像をレンズを介して、固体撮像素子によって読み取る際に、レンズ付近に光量調整量が可変である可変絞り機部構を配置し、固体撮像素子の受光可能領域に光量を調整する画像読取装置であって、
前記可変絞り機構部による光量調整可能範囲のほぼ中央の絞り状態で、前記固体撮像素子の最大受光量に対応する、該固体撮像素子の出力値が所定の範囲内となるように減光手段を設け、
前記レンズの明るさと、前記可変絞り機構部の絞り量との関係から得られる可変絞り機構部による制御可能範囲ＣMAXと、前記可変絞り機構部の制御量ＣSとの差を大きくすることを特徴とする画像読取装置。
【請求項２】
前記減光手段として、所要の光量調整のために前記可変絞り機構部による絞り調整により回折が発生しないように、別途ＮＤフィルタによって所定量減光することを特徴とする請求項１記載の画像読取装置。
【請求項３】
前記減光手段は、所要の光量調整のために前記可変絞り機構部による絞り調整により回折が発生しないように、別途光量調整量が固定である固定絞り機構部であり、当該固定絞り機構部によって所定量減光することを特徴とする請求項１記載の画像読取装置。
【発明の詳細な説明】
【０００１】
【発明の属する技術分野】
本発明は、原稿画像をレンズを介して、固体撮像素子によって読み取る際に、レンズ付近に光量調整量が可変である可変絞り機部構を配置し、固体撮像素子の受光可能領域に光量を調整する画像読取装置に関する。
【０００２】
【従来の技術及び発明が解決しようとする課題】
原稿画像に光を照射し、その反射又は透過光をレンズを介してＣＣＤセンサへ案内し、撮像する画像読取光学系において、光路上に絞り機構部を配置し、ＣＣＤセンサへ到達する光量の調整を行っている。
【０００３】
また、このレンズ近傍には、カラーＣＣＤセンサの場合には、各色のバランスを調整する色バランスフィルタや、赤外線をカットするＩＲカットフィルタ等が配置され、ＣＣＤセンサには、画像読取に必要な光のみが到達するように制御される。
【０００４】
前記絞り機構部は、前記反射光又は透過光の光量域が、ＣＣＤセンサのダイナミックレンジに収まるよう調整するもので、光量が多い場合には光路を妨げる量を多くし、光量が少ない場合には光路を開放する。
【０００５】
ここで、絞り機構部の制御量は、レンズの明るさによって決まる。例えば、レンズに入射する光量に対して出力する光量が少ない場合、所謂暗いレンズを用いた場合、回折限界により、絞り機構部での制御量が制限されることがある。
【０００６】
本発明は上記事実を考慮し、光の回折等の不具合を生じないように光量制御量の幅を大きくとることができる画像読取装置を得ることが目的である。
【０００７】
【課題を解決するための手段】
請求項１に記載の発明は、原稿画像をレンズを介して、固体撮像素子によって読み取る際に、レンズ付近に光量調整量が可変である可変絞り機部構を配置し、固体撮像素子の受光可能領域に光量を調整する画像読取装置であって、前記可変絞り機構部による光量調整可能範囲のほぼ中央の絞り状態で、前記固体撮像素子の最大受光量に対応する、該固体撮像素子の出力値が所定の範囲内となるように減光手段を設け、前記レンズの明るさと、前記可変絞り機構部の絞り量との関係から得られる可変絞り機構部による制御可能範囲ＣMAXと、前記可変絞り機構部の制御量ＣSとの差を大きくすることを特徴としている。
【０００８】
請求項１に記載の発明によれば、原稿画像の反射光又は透過光の光量が多い場合、固体撮像素子の受光範囲（ダイナミックレンジ）を超えて、飽和することがある。この場合、可変絞り機構部によって、光量を減らした状態で固体撮像素子へ案内する。このとき、所謂絞り過ぎると、光の回折によって、固体撮像素子の各画素で受光する光量が、実際の原稿画像と異なってしまうことがある。このため、光量を減らすときに減光手段で予め所定量減らし、その後、可変絞り機構部によって最適な光量に調整する。
【０００９】
これにより、可変絞り機構部により、大きく絞る必要がなくなり、光の回折等の不具合を回避することができる。
【００１０】
また、原稿画像の反射光又は透過光の光量の変動が大きい場合でも、可変絞り機構部による光量調整可能範囲のほぼ中央で、固体撮像素子の最大受光量に対応する固体撮像素子の出力値が所定の範囲内となるように減光手段を設けたので、光の回折が発生することなく、広い範囲の光量調整が可能である。
【００１１】
さらに、可変絞り機構部による制御可能範囲ＣMAXと、可変絞り機構部の制御量ＣSとの差が大きくなればなるほど、固定された制御量ＣFの減光手段の多機種への適用可能範囲が拡がり、汎用性を高めることができる。
請求項２に記載の発明は、前記減光手段として、所要の光量調整のために前記可変絞り機構部による絞り調整により回折が発生しないように、別途ＮＤフィルタによって所定量減光することを特徴としている。
【００１２】
請求項２に記載の発明によれば、ＮＤフィルタを用いることにより、光路を妨げることなく、光量を減らすことができる。なお、このＮＤフィルタを光路上に配置する場合、着脱可能としておけば、各装置において最適なＮＤフィルタを選択することができる。また、複数のＮＤフィルタを重ねて配置できるようにしておけば、ある程度の（段階的な）光量制御をＮＤフィルタで行うことができ、可変絞り機構部では、微調整のみを行えばよい。
【００１３】
請求項３に記載の発明は、前記減光手段は、所要の光量調整のために前記可変絞り機構部による絞り調整により回折が発生しないように、別途光量調整量が固定である固定絞り機構部であり、当該固定絞り機構部によって所定量減光することを特徴としている。
【００１４】
請求項３に記載の発明によれば、２つの絞り機構部（可変絞り機構部及び固定絞り機構部）を用いることにより、絞り量を分散することができ、回折等の不具合をなくすことができる。
【００１５】
【発明の実施の形態】
図１には、本発明の実施の形態に係る画像読取／記録装置１０の概略全体構成図が示されている。
【００１６】
この画像読取／記録装置１０は、画像読取部であるスキャナ部ＳＣＮと、画像を記録するプリンタ部ＰＲＴと、で構成されており、機台１２上にスキャナ部ＳＣＮが配設されている。また、プリンタ部ＰＲＴは、機台１２の内部に配設されている。
（スキャナ部ＳＣＮ）
図１には、本実施の形態に係るスキャナ部ＳＣＮが示されている。
【００１７】
スキャナ部ＳＣＮの箱型のケーシング２００によって被覆されており、上面中央部には、矩形の開口部が設けられ、透明のプラテンガラス２０２が嵌め込まれている。プラテンガラス２０２は、平面原稿載置台としての機能を有し、その上には、平面画像を記録した原稿が下向きに載置されるようになっている。
【００１８】
プラテンガラス２０２上には、開閉可能な押さえカバー２０４が設けられている。この押さえカバー２０４は、ケーシング２００の奥側において、ケーシング２００にヒンジ止めされており、このヒンジを中心に回動可能となっている。
【００１９】
従って、この押さえカバー２０４の閉止状態では、原稿を上からプラテンガラス２０２の方向に押圧保持することができる。
【００２０】
ケーシング２００の上面手前側には、図示しない操作／表示パネルが配設され、各種の機能の指示、また装置内の動作状態の表示等がなされるようになっている。
【００２１】
ケーシング２００内には、走査部２０８が配設されている。走査部２０８は、コントローラ２０９によって制御される。この走査部２０８は、原稿画像の幅方向（主走査方向）に延出されたハロゲンランプ及びリフレクタを備えた光源２１０、この光源２１０と共に原稿画像の幅方向に延出された第１のミラー２１２が組み込まれた第１のキャリッジ２１４と、第２のミラー２１６及び第３のミラー２１８が組み込まれた第２のキャリッジ２２０と、絞り２２２、色調整フィルタ２２４Ａ及びＮＤフィルタ２２４Ｂ（共に、図２参照）等で４枚構成とされるフィルタ群２２４、結像のためのレンズ２２６によって構成される固定ユニット２２８と、で構成されている。
【００２２】
第１のキャリッジ２１４では、光源２１０からの光をプラテンガラス２０２面上に載置された原稿に照射し、その反射光（垂下する光軸の光）を第１のミラー２１２で９０°偏向し、第２のキャリッジ２２０の第２のミラー２１６へ案内する役目を有する。
【００２３】
第２のキャリッジ２２０では、第２のミラー２１６の反射面が前記第１のミラー２１２と対向し、かつ平行な状態とされており、第１のミラー２１２から光を受けると、第２のミラー２１６で９０°偏向し、さらに第３のミラー２１８で９０°偏向する。
【００２４】
この第３のミラー２１８で最終的にプラテンガラス２０２の面と平行とされた光は、固定ユニット２２８を経て、ＣＣＤラインセンサ２３０の受光部へと至るようになっている。なお、本実施の形態のＣＣＤラインセンサ２３０の受光部は、各色（ＲＧＢ）毎に独立して受光量を検出する３本のラインで構成されている。
【００２５】
図２に示される如く、この固定ユニット２２８では、絞り２２２（可変絞り機構部）やフィルタ群２２４のＮＤフィルタ２２４Ｂによって光量の調整（後述）が行われ、フィルタ群２２４の色調整フィルタ２２４Ａによって各色バランスの調整が行われる。また、レンズ２２６によって、原稿画像がＣＣＤラインセンサ２３０の受光面上で結像する構成となっている。なお、色調整フィルタ２２４Ａのレンズ表面には、ＩＲカットフィルタに相当するＩＲカット膜２２４Ｃが蒸着されている。
【００２６】
ここで、レンズ２２６の明るさと、絞り２２２の絞り量との間には、図３に示される関係がある。
【００２７】
図３に示される如く、レンズ２２６の明るさが暗いほど、回折限界ライン（図３の曲線Ａ参照）に至る、絞り２２２の絞り量が小さくなる。このため、絞り２２２による制御範囲が狭まることが分かる。
【００２８】
前記回折限界Ａを超えて、絞り２２２を絞る（絞り量大）と、光の回折によって、適正な光がＣＣＤラインセンサ２２６へ至らず、精度よく画像の読取り行えない。このため、絞り２２２による制御可能範囲ＣMAX は、レンズ２２６が暗ければ暗いほど狭く、明るければ明るいほど広く得ることができる。
【００２９】
図４には、光量とＣＣＤラインセンサ２２６の出力値との関係が示されている。ＣＣＤラインセンサ２２６は、ダイナミックレンジが比較的狭く、図４の鎖線で示されるような光量分布では、読取ることができない（飽和）領域が存在する。
【００３０】
そこで、絞り２２２によって、光量を絞り込み、図４の実線で示される位置まで、光量を減らす必要がある。しかし、このときの制御量は、ＣTOTAL （＝ＣF ＋ＣS ）となり、前記制御可能範囲ＣMAX を超える場合がある。このため、絞り２２２による制御量が制御可能範囲ＣMAX を超えないような（ＣMAX ≧ＣS ）、制御量ＣF を定め、この減光制御量に一致する、或いは近似するＮＤフィルタ２２４Ｂを光路上に挿入するようにしている。
【００３１】
このように、光量を減らす手段を、２段階（絞り２２２とＮＤフィルタ２２４Ｂ）とすることにより、絞り２２２による制御量ＣS を制御可能範囲ＣMAX に収めることができる。
【００３２】
第１のキャリッジ２１４及び第２のキャリッジ２２０は、プラテンガラス２０２の下方で原稿面に沿って副走査方向に往復移動する。このとき、原稿反射位置からＣＣＤラインセンサ２３０の受光部までの光路長を常に一定に維持するべく、第２のキャリッジ２２０が第１のキャリッジ２１４の１／２の搬送速度で同一方向へ移動するようになっている。この第１のキャリッジ２１４及び第２のキャリッジ２２０の１往復動作が１画像分の走査であり（往路時に画像読取）、これにより、プラテンガラス２０２上の原稿画像を読み取ることができる。
【００３３】
なお、ケーシング２００上面には、プラテンガラス２０２の上を所定の隙間を持って主走査方向へ移動するプルーフ用光源ユニット２３２が配設されている。このプルーフ用光源ユニット２３２は、プラテンガラス２０２上に透過原稿が載置された場合の光源として適用されるものである。
【００３４】
すなわち、このプルーフ用光源ユニット２３２は、その一端部（装置奥側）が光源ユニット駆動部２３４と連結されており、この光源ユニット駆動部２３４の駆動力により、前記第１のキャリッジ２１４と同等の動作を行う。
【００３５】
ここで、透過原稿を走査する場合には、第１のキャリッジ２１４と同期がとられてプルーフ用光源ユニット２３２が動作する。このとき、第１のキャリッジ２１４の光源２１０は消灯しておき、プルーフ用光源ユニット２３２内の光源（図示省略）が点灯することにより、第１のミラー２１２で透過原稿画像を得ることができる。その後の動作は、反射原稿の場合と同様である。
（プリンタ部ＰＲＴ）
図１及び図２には、画像読取／記録装置１０の機台１２内のプリンタ部ＰＲＴが示されている。
【００３６】
機台１２の内部には、感光材料１６を収納する感材マガジン１４が配置されており、感材マガジン１４から引き出されたこの感光材料１６の感光（露光）面が左方へ向くように感光材料１６が感材マガジン１４にロール状に巻き取られている。
【００３７】
感材マガジン１４の感光材料取出し口の近傍には、ニップローラ１８およびカッタ２０が配置されており、感材マガジン１４から感光材料１６を所定長さ引き出した後に切断することができる。カッタ２０は、例えば固定刃と移動刃から成るロータリータイプのカッタとされており、移動刃を回転カム等によって上下に移動させて固定刃と噛み合わせ感光材料１６を切断することができる。
【００３８】
カッタ２０の側方には、複数の搬送ローラ２４、２６、２８、３０、３２、３４が順に配置されており、各搬送ローラの間には図示しないガイド板が配設されている。所定長さに切断された感光材料１６は、まず搬送ローラ２４、２６の間に設けられた露光部２２へ搬送される。
【００３９】
この露光部２２の左側には露光装置３８が設けられている。露光装置３８には、３種のＬＤ、レンズユニット、ポリゴンミラー、ミラーユニットが配置されており（何れも、図示省略）、露光装置３８から光線Ｃが露光部２２に送られて、感光材料１６が露光されるようになっている。
【００４０】
なお、ＬＤをポリゴンミラーで振り子の如く走査する構成を用いず、ＬＥＤを主走査方向に配列して１ラインを同時に露光する構成であってもよい。
【００４１】
さらに、露光部２２の上方には、感光材料１６をＵ字状に湾曲させて搬送するＵターン部４０及び画像形成用溶媒を塗布する為の水塗布部５０が設けられている。尚、本実施の形態において画像形成用溶媒としては水が用いられる。
【００４２】
感材マガジン１４から上昇し露光部２２にて露光された感光材料１６は、搬送ローラ２８、３０によりそれぞれ挟持搬送されてＵターン部４０の上側寄りの搬送経路を通過しつつ水塗布部５０へ送り込まれる。
【００４３】
一方、図１に示すように、機台１２内の左上端部には受像材料１０８を収納する受材マガジン１０６が配置されている。この受像材料１０８の画像形成面には媒染剤を有する色素固定材料が塗布されており、受材マガジン１０６から引き出さ５た受像材料１０８の画像形成面が下方へ向くように受像材料１０８が受材マガジン１０６にロール状に巻き取られている。
【００４４】
受材マガジン１０６の受像材料取出し口の近傍には、ニップローラ１１０が配置されており、受材マガジン１０６から受像材料１０８を引き出すと共にそのニップを解除することができる。
【００４５】
ニップローラ１１０の側方にはカッタ１１２が配置されている。カッタ１１２は前述の感光材料用のカッタ２０と同様に、例えば固定刃と移動刃から成るロータリータイプのカッタとされており、移動刃を回転カム等によって上下に移動させて固定刃と噛み合わせることにより、受材マガジン１０６から引き出された受像材料１０８を感光材料１６よりも短い長さに切断するようになっている。
【００４６】
カッタ１１２の側方には、搬送ローラ１３２、１３４、１３６、１３８及び図示しないガイド板が配置されており、所定長さに切断された受像材料１０８を熱現像転写部１２０側に搬送できるようになっている。
【００４７】
図１に示す如く、熱現像転写部１２０は、それぞれ複数の巻き掛けローラ１４０に巻き掛けられて、それぞれ上下方向を長手方向としたループ状にされた一対の無端ベルト１２２、１２４を有している。従って、これらの巻き掛けローラ１４０のいずれかが駆動回転されると、これらの巻き掛けローラ１４０に巻き掛けられた一対の無端ベルト１２２、１２４がそれぞれ回転される。
【００４８】
これら一対の無端ベルト１２２、１２４の内の図上、右側の無端ベルト１２２のループ内には、上下方向を長手方向とした平板状に形成された加熱板１２６が、無端ベルト１２２の左側の内周部分に対向しつつ配置されている。この加熱板１２６の内部には、図示しない線状のヒータが配置されており、このヒータによって加熱板１２６の表面を昇温して所定の温度に加熱できるようになっている。
【００４９】
従って、感光材料１６は、搬送経路の最後の搬送ローラ３４により熱現像転写部１２０の一対の無端ベルト１２２、１２４間に送り込まれる。また、受像材料１０８は感光材料１６の搬送に同期して搬送され、感光材料１６が所定長さ先行した状態で、搬送経路の最後の搬送ローラ１３８により熱現像転写部１２０の一対の無端ベルト１２２、１２４間に送り込まれて、感光材料１６に重ね合わせられる。
【００５０】
この場合、受像材料１０８は感光材料１６よりも幅方向寸法および長手方向寸法がいずれも小さい寸法となっているため、感光材料１６の周辺部は四辺とも受像材料１０８の周辺部から突出した状態で重ね合わせられることになる。
【００５１】
以上より、一対の無端ベルト１２２、１２４によって重ね合わされた感光材料１６及び受像材料１０８は、重ね合わせられた状態のままで一対の無端ベルト１２２、１２４によって挟持搬送されるようになる。さらに、重ね合わされた感光材料１６と受像材料１０８が、一対の無端ベルト１２２、１２４間に完全に収まった時点で、一対の無端ベルト１２２、１２４は回転を一旦停止し、挟持した感光材料１６と受像材料１０８を加熱板１２６で加熱する。感光材料１６は、この挟持搬送時及び停止時において無端ベルト１２２を介して加熱板１２６により加熱されることとなり、加熱に伴って、可動性の色素を放出し、同時にこの色素が受像材料１０８の色素固定層に転写されて、受像材料１０８に画像が得られることになる。
【００５２】
さらに、一対の無端ベルト１２２、１２４に対して材料供給方向下流側には、剥離爪１２８が配置されており、この剥離爪１２８が一対の無端ベルト１２２、１２４間で挟持搬送される感光材料１６と受像材料１０８のうち、感光材料１６の先端部のみに係合し、一対の無端ベルト１２２、１２４間より突出したこの感光材料１６の先端部を受像材料１０８から剥離させることができる。
【００５３】
剥離爪１２８の左方には感材排出ローラ１４８が配置されており、剥離爪１２８に案内されながら左方へ移動される感光材料１６を、更に廃棄感光材料収容部１５０側へ搬送し得るようになっている。
【００５４】
この廃棄感光材料収容部１５０は、感光材料１６が巻き付けられるドラム１５２及び、このドラム１５２に一部が巻き掛けられているベルト１５４を有している。さらに、このベルト１５４は複数のローラ１５６に巻き掛けられており、これらローラ１５６の回転によって、ベルト１５４が廻され、これに伴ってドラム１５２が回転するようになっている。
【００５５】
従って、ローラ１５６の回転によりベルト１５４が廻された状態で、感光材料１６が送り込まれると、感光材料１６がドラム１５２の周りに集積できるようになっている。
【００５６】
他方、図１に示される如く、一対の無端ベルト１２２、１２４の下方から左方に向かって受像材料１０８を搬送し得るように受材排出ローラ１６２、１６４、１６６、１６８、１７０が順に配置されており、一対の無端ベルト１２２、１２４から排出された受像材料１０８は、これら受材排出ローラ１６２、１６４、１６６、１６８、１７０によって搬送されて、トレイ１７２へ排出されることになる。
【００５７】
以下に本実施の形態の作用を説明する。
まず、スキャナ部ＳＣＮにおける、原稿画像の読取制御について、説明する。
【００５８】
プラテンガラス２０２面上に原稿を載置し、押さえカバー２０４を閉じ、操作／表示パネルのキー操作によって読取開始が指示されると、スキャニングが開始される。このスキャニングでは、ＣＣＤラインセンサ２３０のダイナミックレンジを最小濃度域が確実に読み取ることができ、かつ飽和しないように調整されている。
【００５９】
この調整は、絞り２２２の絞り制御によってなされるが、レンズ２２６の特性によっては、制御量（図４のＣTOTAL ）が、回折限界を超える場合がある。
【００６０】
そこで、予め図３のレンズ２２６の明るさと、絞り２２２の絞り量との関係から、絞り２２２による制御可能範囲ＣMAX を得、図４に示す前記絞り２２２による制御量ＣS が制御可能範囲ＣMAX を超えないような制御量ＣF を求める。
【００６１】
その後、このＣF に一致、或いは近似するＮＤフィルタ２２４Ｂを光路内に挿入することにより、絞り２２２の制御量を制御可能範囲ＣMAX 内に収めることができる。
【００６２】
なお、光源、光源の劣化状態、装置組付け状態や、機差、レンズの製作時の明るさの変動等により、ＣF が異なってくるが、制御可能範囲ＣMAX と絞り２２２の制御量ＣS との差（ＣMAX −ＣS ）を大きく設定すれば、装置毎にＮＤフィルタ２２４Ｂを交換する必要がなく、予め特定のＮＤフィルタ２２４Ｂを挿入しておいてもよい。
【００６３】
上記調整後、反射原稿の場合は光源２１０を点灯し、第１のキャリッジ２１４及び第２のキャリッジ２２０を同期させて動作を開始する。このとき、第１のキャリッジ２１４の搬送速度Ｖ1 と、第２のキャリッジ２２０の搬送速度Ｖ2 との関係は、Ｖ1 ＝２Ｖ2 である。これを維持することによって、原稿画像面からＣＣＤラインセンサ２３０の受光面までの光路長を常に一定に維持することができる。
【００６４】
画像データは、パソコン等のＲＡＭメモリやハードディスクに記録され、所定の画像処理が施された後、プリンタ部ＰＲＴへ送られる。
【００６５】
なお、上記では、光路中に絞り２２２と、ＮＤフィルタ２２４Ｂを配置し、減光を２段階としたが、図５に示される如く、絞り２２２とは別に、さらに絞り２２３を配置してもよい。この場合、絞り２２３は、固定絞りでよい。この絞り２２２、２２３との２段階でも、絞り量を分散することができるため、本実施の形態と同等の効果を得ることができる。
【００６６】
次に、プリンタ部ＰＲＴの動作を説明する。
感材マガジン１４がセットされた後には、ニップローラ１８が作動され、感光材料１６がニップローラ１８によって引き出される。感光材料１６が所定長さ引き出されると、カッタ２０が作動して、感光材料１６が所定長さに切断されると共に、その感光（露光）面を左方へ向けた状態で露光部２２へ搬送される。そして、この感光材料１６の露光部２２の通過と同時に露光装置３８が作動し、露光部２２に位置する感光材料１６へ画像が走査露光される。露光装置３８には、前述したスキャナＳＣＮ部で読み取った画像データがパソコンで画像処理されて入力されており、この入力されたデータに基づいて光源の光量が制御され、画像が走査露光される。光源としては、レーザ（半導体レーザ）を用いる場合には、デューティ制御によって光量が制御されたレーザビームの光軸を振り子の如く往復移動させることにより主走査を行い、感光材料１６の移動を副走査とすればよい。
【００６７】
また、光源として、ＬＥＤ等の主走査方向に配列してＬＥＤアレイを用いる場合には、ＬＥＤ光源を電流又は電圧制御して光量を制御し、１主走査を同時期に行うようにすればよい。
【００６８】
露光が終了すると、露光後の感光材料１６は、水塗布部５０に送られる。水塗布部５０において画像形成用溶媒としての水が塗布された感光材料１６は、搬送ローラ３４によって熱現像転写部１２０の一対の無端ベルト１２２、１２４間へ送り込まれる。
【００６９】
他方、感光材料１６へ走査露光されるに伴って、受像材料１０８も受材マガジン１０６からニップローラ１１０によって引き出されて搬送される。受像材料１０８が所定長さ引き出されると、カッタ１１２が作動して受像材料１０８が所定長さに切断される。
【００７０】
カッタ１１２の作動後は、切断された受像材料１０８がガイド板によって案内されながら搬送ローラ１３２、１３４、１３６、１３８によって搬送される。受像材料１０８の先端部が搬送ローラ１３８によって挟持されると、受像材料１０８は熱現像転写部１２０の直前で待機状態となる。
【００７１】
そして、前述のように感光材料１６が搬送ローラ３４によって一対の無端ベルト１２２、１２４間へ送り込まれるのに伴って、受像材料１０８の搬送が再開されて、一対の無端ベルト１２２、１２４間へ受像材料１０８が感光材料１６と一体的に送り込まれる。
【００７２】
この結果、感光材料１６と受像材料１０８が重ねられ、感光材料１６と受像材料１０８とが加熱板１２６により加熱されつつ挟持搬送されて、熱現像転写を行って画像を受像材料１０８に形成する。
【００７３】
さらに、一対の無端ベルト１２２、１２４からこれらが排出されると、受像材料１０８よりも所定長さ先行して搬送される感光材料１６の先端部に剥離爪１２８が係合し、感光材料１６の先端部を受像材料１０８から剥離する。この感光材料１６は、さらに感材排出ローラ１４８によって搬送され、廃棄感光材料収容部１５０内に集積される。この際、感光材料１６はすぐに乾燥するので、感光材料１６を乾燥させる為に、ヒータ類をさらに設ける必要がなくなる。
【００７４】
一方、感光材料１６と分離された受像材料１０８は、受材排出ローラ１６２、１６４、１６６、１６８、１７０によって搬送され、トレイ１７２へ排出される。
【００７５】
そして、複数枚の画像記録処理を実施する場合には、以上の工程が順次連続して行なわれる。
【００７６】
このように、一対の無端ベルト１２２、１２４に挟まれて熱現像転写処理されて所定の画像が形成（記録）された受像材料１０８は、一対の無端ベルト１２２、１２４から排出された後に、複数の受材排出ローラ１６２、１６４、１６６、１６８、１７０によって挟持搬送されて装置外のトレイ１７２へ排出される。
【００７７】
【発明の効果】
以上説明した如く請求項１に記載の発明では、光の回折等の不具合を生じないように光量制御量の幅を大きくとることができるという優れた効果を有する。
【００７８】
また、請求項２に記載の発明では、光路を妨げることなく、光量を減らすことができる。
【００７９】
請求項３に記載の発明では、絞り量を分散することができ、回折等の不具合をなくすことができる。
【図面の簡単な説明】
【図１】本実施の形態に係る画像読取／記録装置の概略全体構成図である。
【図２】本実施の形態に係る固定ユニット近傍の拡大側面図である。
【図３】レンズの明るさと、絞り量との関係を示す特性図である。
【図４】光量とＣＣＤラインセンサ出力との関係を示す特性図である。
【図５】変形例に係る固定ユニット近傍の拡大側面図である。
【符号の説明】
１０    画像読取／記録装置
ＳＣＮ    スキャナ部
ＰＲＴ    プリンタ部
２０２    プラテンガラス
２０８    走査部
２０９    コントローラ
２１０    光源
２１４    第１のキャリッジ
２２０    第２のキャリッジ
２２２    絞り（可変絞り機構部）
２２４    フィルタ群
２２４Ｂ  ＮＤフィルタ
２２６    レンズ
２２８    固定ユニット
２３０    ＣＣＤラインセンサ（固体撮像素子）
【図１】
0003784922.tif 000002
【図２】
0003784922.tif 000003
【図３】
0003784922.tif 000004
【図４】
0003784922.tif 000005
【図５】
0003784922.tif 000006